(57)【特許請求の範囲】
【請求項１】
左右一対の縦枠材と、該両縦枠材の上下両端を左右に連結する上・下横枠材とを含む外枠を備え、前記上・下横枠材の少なくとも一方の横枠材を合成樹脂製又は金属製とした遊技機において、前記合成樹脂製又は金属製の横枠材に、該横枠材を遊技島の受け枠に釘付けするときに釘を打つための釘打ち部材を備え、該釘打ち部材の両端を前記両縦枠材に連結したことを特徴とする遊技機。
【請求項２】
前記横枠材は少なくとも上下方向の外側に固定壁を有し且つ該固定壁に釘挿通孔が形成された凹部を設け、該凹部内に前記釘打ち部材を設けたことを特徴とする請求項１に記載の遊技機。
【請求項３】
前記凹部は上下方向の内側又は前後方向の一方側が開口し、前記釘打ち部材は前記開口側から前記凹部に挿入したことを特徴とする請求項１又は２に記載の遊技機。
【請求項４】
前記釘打ち部材は木材であることを特徴とする請求項１〜３の何れかに記載の遊技機。
【請求項５】
前記釘打ち部材の左右両端部を前記横枠材に固定したことを特徴とする請求項１〜３の何れかに記載の遊技機。
【請求項６】
前記合成樹脂製又は金属製の横枠材は下横枠材であり、該下横枠材の前後両側の段部間に前記釘打ち部材が上側から収まる前記凹部を備えたことを特徴とする請求項１〜５の何れかに記載の遊技機。
【発明の詳細な説明】
【技術分野】
【０００１】
本発明は、パチンコ機、アレンジボール機等の遊技機に関するものである。
【背景技術】
【０００２】
遊技機、例えばパチンコ機等の弾球遊技機は、矩形枠状の外枠と、この外枠に開閉・着脱自在に枢着された前枠とを備え、その前枠側に遊技盤、ガラス扉、発射手段等が装着されている。外枠は左右一対の縦枠材と、この両縦枠材の上下端間を左右に連結する上横枠材及び下横枠材と、両縦枠材の前面下部に左右方向に配置された前横枠材とを備え、その左側の縦枠材にヒンジを介して前枠が開閉・着脱自在に枢着されている。
【０００３】
この弾球遊技機を遊技ホールの遊技島に設置する場合には、外枠を遊技島の受け枠内に嵌め込んだ後、その上横枠材及び下横枠材を受け枠の上枠部及び下枠部を釘付けにより固定する。この場合、従来の外枠は補強金具等を除く略全体が木材製であるため、その下横枠材を受け枠の下枠部にそのまま釘付け可能であったが、近年のパチンコ機は、合成樹脂材又は金属材により一体に成型された下横枠材を採用する傾向にあり、下横枠材自体を釘付けで受け枠に固定することはできない。
【０００４】
そこで、内周の係合縁を有する取り付け孔を下横枠材に左右方向に複数個設けて、その係合縁に係合する係合溝を有する釘打ち部材を各取り付け孔に嵌め込み、その各釘打ち部材に釘を打ち付けて下横枠材を受け枠の下枠部に固定する方法を採用している（特許文献１）。
【先行技術文献】
【特許文献】
【０００５】
【特許文献１】特開２００８−５９３７号公報
【発明の概要】
【発明が解決しようとする課題】
【０００６】
従来の固定方法では、取り付け孔、釘打ち部材が下横枠材の左右方向に複数個ある上に、下横枠材は取り付け孔の内周に係合縁を、釘打ち部材は外周に係合溝を有する構造であるため、構造的に複雑であって製作コストがアップする欠点がある。
【０００７】
また各釘打ち部材から受け枠の下枠部に跨がって釘を打ち付けてはいるものの、取り付け孔の内周の係合縁と釘打ち部材の外周の係合溝との係合構造を介して下横枠材を受け枠の下枠部に固定するため、外枠を受け枠に確実に固定し難いという問題がある。
【０００８】
即ち、下横枠材には上下方向の厚さに限界があり、その厚さ内に収まるように取り付け孔の内周に係合縁を設け、この係合縁に対応して釘打ち部材の外周に係合溝を設けるため、両者の係合部分の強度を十分に確保することが困難である。
【０００９】
一方、最近のパチンコ機では遊技盤が重量的に非常に重たくなる傾向にあり、遊技盤を装着した状態で前枠を開閉する際に、遊技盤を含む前枠側の全荷重が外枠に対して加わるが、その全荷重を複数個の釘打ち部材の係合部分を介して支持することになる。このため従来の固定方法では、外枠を受け枠に対して確実に固定できず、設置後に外枠の取り付け姿勢に狂いが生じ易くなる等の問題がある。
【００１０】
また仮に取り付け孔、釘打ち部材との上下方向の係合量を十分に確保し得たとしても、下横枠材に左右方向に複数個の取り付け孔を設けて、その各取り付け孔に釘打ち部材を嵌め込む構造であるため、その釘打ち部材で下横枠材を補強することはできず、下横枠材自体の強度が低下するという問題がある。
【００１１】
本発明は、このような従来の問題点に鑑み、遊技島の受け枠に外枠を固定する際に、外枠の横枠材を釘打ち部材を利用して簡単な構造で受け枠に対して確実に固定でき、しかもその釘打ち部材により外枠を補強できる遊技機を提供することを目的とする。
【課題を解決するための手段】
【００１２】
本発明は、左右一対の縦枠材と、該両縦枠材の上下両端を左右に連結する上・下横枠材とを含む外枠を備え、前記上・下横枠材の少なくとも一方の横枠材を合成樹脂製又は金属製とした遊技機において、前記合成樹脂製又は金属製の横枠材に、該横枠材を遊技島の受け枠に釘付けするときに釘を打つための釘打ち部材を備え、該釘打ち部材の両端を前記両縦枠材に連結したものである。
【００１３】
前記横枠材は少なくとも上下方向の外側に固定壁を有し且つ該固定壁に釘挿通孔が形成された凹部を設け、該凹部内に前記釘打ち部材を設けてもよい。前記凹部は上下方向の内側又は前後方向の一方側が開口し、前記釘打ち部材は前記開口側から前記凹部に挿入してもよい。
【００１４】
前記横枠材は上下方向の外側に固定壁を有し且つ該固定壁に釘挿通孔が形成された凹部を設け、該凹部内に前記釘打ち部材を設けてもよい。前記凹部は上下方向の内側が開口し、前記釘打ち部材は前記開口側から前記凹部に挿入してもよい。
【００１５】
前記釘打ち部材は木材であってもよい。前記釘打ち部材の左右両端部を前記横枠材に固定したものである。前記合成樹脂製又は金属製の横枠材は下横枠材であり、該下横枠材の前後両側の段部間に前記釘打ち部材が上側から収まる前記凹部を備えてもよい。
【発明の効果】
【００１６】
本発明によれば、遊技島の受け枠に外枠を固定する際に、外枠の横枠材を釘打ち部材を利用して簡単な構造で受け枠に対して確実に固定でき、しかもその釘打ち部材により外枠を補強できる利点がある。
【図面の簡単な説明】
【００１７】
【図１】本発明の第１の実施形態を示すパチンコ機の正面図である。
【図２】同パチンコ機の背面図である。
【図３】同パチンコ機の一部切欠き側面図である。
【図４】同外枠の分解斜視図である。
【図５】同外枠の下部側の分解斜視図である。
【図６】同要部の側面断面図である。
【図７】同要部の正面断面図である。
【図８】同要部の平面断面図である。
【図９】同外枠の取り付け状態の正面図である。
【図１０】本発明の第２の実施形態を示す要部の側面断面図である。
【図１１】同要部の正面断面図である。
【図１２】本発明の第３の実施形態を示す要部の側面断面図である。
【図１３】同要部の平面断面図である。
【図１４】本発明の第４の実施形態を示す要部の側面断面図である。
【図１５】同要部の正面断面図である。
【図１６】同要部の平面断面図である。
【図１７】同要部の分解斜視図である。
【図１８】本発明の第５の実施形態を示す正面断面図である。
【図１９】本発明の第６の実施形態を示す平面断面図である。
【発明を実施するための形態】
【００１８】
以下、本発明の各実施形態を図面に基づいて詳述する。図１〜図９は本発明をパチンコ機に採用した第１の実施形態を例示する。パチンコ機１は、図１に示すように矩形枠状の外枠２と、この外枠２の左側の上下のヒンジ３，４を介して開閉自在及び着脱自在に枢着された前枠５とを備えている。前枠５にはガラス扉６及び前面板７が装着され、その裏側に遊技盤８が着脱自在に装着されている。
【００１９】
前面板７には、発射用の遊技球を貯留するための上皿９が装着されている。前枠５の下部には、余剰球を貯留するための下皿１０が装着され、この下皿１０の側方に発射手段１１の発射ハンドル１２が配置されている。発射手段１１は、発射ハンドル１２を操作したときに駆動される打撃槌を備え、発射レール上に１個ずつ供給される遊技球を打撃槌で打撃して遊技盤８側へと発射させるようになっている。
【００２０】
遊技盤８の前面には、発射手段１１から発射された遊技球を案内するガイドレール１３が環状に装着され、そのガイドレール１３の内側の遊技領域１４内に液晶表示手段１５、第１図柄始動手段１６、可変入賞手段１７、第２図柄始動手段１８、普通入賞手段１９等の複数の遊技部品が装着されている。
【００２１】
前枠５の裏側には、図２に示すように、遊技盤８を裏側から押さえる裏機構板２０が開閉自在に装着されている。裏機構板２０には開口部２１が形成され、その上側に遊技球タンク２２及びタンクレール２３が、左右方向の一側に球払い出し手段２４が、下側に通路ユニット２５が夫々設けられている。
【００２２】
開口部２１には、遊技盤８の裏側に装着された裏カバー２６が嵌合されている。裏カバー２６は、遊技盤８に装着された液晶表示手段１５、第１図柄始動手段１６、可変入賞手段１７等の各遊技部品を裏側から覆うためのもので、遊技盤８に着脱自在に固定されている。また裏カバー２６には主制御基板等の各種制御基板を収納した基板ケース２７〜２９が着脱自在に装着され、その下方近傍では各種制御基板を収納した基板ケース３０，３１が裏機構板２０に着脱自在に装着されている。
【００２３】
外枠２は、図２及び図３に示すように、略平行に配置された左右一対の縦枠材３２と、この両縦枠材３２の上端間を左右に連結する上横枠材３３と、両縦枠材３２の下端間を左右に連結する下横枠材３４と、両縦枠材３２の前面下端部に左右方向に配置された前横枠材３５と、この前横枠材３５の前側に着脱可能に装着された化粧カバー３６とを備えている。
【００２４】
ヒンジ３，４は、図４に示すように、外枠２側のヒンジ板３７ａ，３８ａと、前枠５側のヒンジ板３７ｂ，３８ｂとを備え、外枠２及び前枠５の左側に設けられている。ヒンジ３，４は外枠２のヒンジ板３７ａ，３８ａにより前枠５のヒンジ板３７ｂ，３８ｂを受けるようになっている。上側のヒンジ３では外枠２のヒンジ板３７ａにヒンジ孔３７ｃが設けられ、このヒンジ孔３７ｃに挿通されるヒンジ軸３７ｄが前枠５のヒンジ板３７ｂに下向きに設けられている。また下側のヒンジ４では外枠２のヒンジ板３８ａにヒンジ軸３８ｃが上向きに設けられ、このヒンジ軸３８ｃが挿通するヒンジ孔３８ｄが前枠５のヒンジ板３８ｂに設けられている。
【００２５】
両縦枠材３２は例えば金属製であって、アルミ系合金の押し出し型材、又は板金材等が使用されている。なお、縦枠材３２には前後両側に内側へと屈曲する屈曲縁３２ａが上下方向に設けられている。上横枠材３３は木材製であって、縦枠材３２の上端に跨がって左右方向に配置され、その左右両端は上連結金具３９を介して両縦枠材３２の上端に連結されている。なお、上横枠材３３は合成樹脂製、金属製であっても良い。左側の上連結金具３９にヒンジ３のヒンジ板３７ａが一体に設けられている。
【００２６】
下横枠材３４は例えば合成樹脂製であって、図４〜図８に示すように、左右方向の下本体部４１と、この下本体部４１の左右両端から起立する側面取り付け部４２と、下本体部４１の前端から起立して左右の側面取り付け部４２の前端側を左右に連結する前面取り付け部４３とが一体に形成され、その下本体部４１の凹部４５に木材製の釘打ち部材４４が左右方向に設けられ、また側面取り付け部４２の外側に縦枠材３２が、前面取り付け部４３の前面に前横枠材３５が夫々連結されている。
【００２７】
下本体部４１は、図５〜図８に示すように、前後両側の前段部４６及び後段部４７間に左右両端に跨がって形成された左右方向の凹部４５を備え、その凹部４５に左右の縦枠材３２間に跨がる左右方向の釘打ち部材４４が嵌め込まれている。即ち、凹部４５は上下方向の外側である下側に、前段部４６及び後段部４７の下端部間を前後に連結する固定壁４８を有し、その固定壁４８には釘打ち部材４４の釘打ち箇所に対応して釘挿通孔４９が形成されている。
【００２８】
釘打ち部材４４、釘挿通孔４９は、図９に示すように、外枠２を左右の球貸し機５１間で受け枠５２の上枠部５３と下枠部５４との間に挿入して、その上横枠材３３側から上枠部５３に、下横枠材３４側から下枠部５４に夫々釘５５，５６を打ち込んで取り付ける際に、下横枠材３４側の釘の打ち込み用として使用するものであって、釘挿通孔４９を通るように釘打ち部材４４に釘５６を打ち込むようになっている。
【００２９】
固定壁４８の釘挿通孔４９は、例えば図８に示すように釘打ち部材４４の釘打ち箇所が左右２箇所の場合には、その各釘打ち箇所毎に対応して２個設けられている。なお、このように釘挿通孔４９を独立して複数個設けることにより、釘挿通孔４９の開口面積が小さくなり、しかも固定壁４８の釘挿通孔４９間に前後方向の連結部分ができるので、下横枠材３４の固定壁４８側の強度が向上するが、釘打ち箇所の全てに対応して左右方向に長い釘挿通孔４９を１個設けてもよい。
【００３０】
左右の縦枠材３２と下横枠材３４及び釘打ち部材４４は、図５〜図８に示すように、略Ｌ字状に下連結金具５８を介してネジ６１，６３，６４，６７により着脱自在に連結されている。下連結金具５８は、図５に示すように、縦枠材３２と下横枠材３４とに対応する側板部５９と下板部６０とを略Ｌ字状に備えている。
【００３１】
側板部５９は縦枠材３２の外側に当接すると共に、ネジ６１により側面取り付け部４２の取り付けボス６２に固定されると共に、ネジ６３により釘打ち部材４４の両端に固定されている。下板部６０は下本体部４１の下面に当接すると共に、ネジ６４により前段部４６、後段部４７の下側の取り付けボス６６に固定されると共に、ネジ６７により釘打ち部材４４に固定されている。
【００３２】
側面取り付け部４２は下本体部４１の前段部４６、後段部４７の両端上に設けられており、その下側には凹部４５が左右方向に貫通して配置されている。側面取り付け部４２の取り付けボス６２は側面取り付け部４２の外側に前後及び上下方向に複数個あり、この各取り付けボス６２に側板部５９の外側から挿通されたネジ６１が螺合されている。下側の取り付けボス６６は前段部４６、後段部４７の両端部に左右方向に複数個設けられ、この各取り付けボス６６に下板部６０の外側から挿通されたネジ６４が螺合されている。ネジ６３は前後方向に１個又は複数個設けられ、側板部５９の外側から挿通されて釘打ち部材４４に螺合されている。ネジ６７は前後及び左右方向に複数個設けられ、下板部６０の下側から挿通されて釘打ち部材４４に螺合されている。
【００３３】
前面取り付け部４３は下本体部４１の前段部４６側にあり、左右方向の略全長で前側に屈曲する屈曲縁４３ａが上下に複数個設けられると共に、前側に突出する複数個の取り付けボス４３ｂが設けられている。前横枠材３５は合成樹脂製であって、左右両端部が各縦枠材３２の前面に当接すると共に、前側から挿通されて取り付けボス４３ｂに螺合する複数個のネジ６９により前面取り付け部４３に着脱自在に固定されている。なお、前横枠材３５は左右の縦枠材３２の前面下部に固定できればよく、前面取り付け部４３以外のものを介して取り付けてもよい。
【００３４】
化粧カバー３６は合成樹脂製であって、図６、図８に示すように、その前面部の裏側に形成された圧入突起７０を前横枠材３５の圧入孔７１に圧入する圧入手段７２等の固定手段により、前横枠材３５に着脱自在に固定されている。なお、化粧カバー３６は前横枠材３５を前側から覆う前面部３６ａと、前横枠材３５及び前面取り付け部４３を上側から覆う上面部３６ｂと、前横枠材３５及び前面取り付け部４３を下側から覆う下面部３６ｃと、前横枠材３５及び前面取り付け部４３を左右両側から覆う側面部３６ｄとを有する。なお、化粧カバー３６は前横枠材３５に固定できればよく、その固定構造は自在に変更可能である。
【００３５】
このような構成のパチンコ機を遊技島に据え付ける際には、次のように行う。先ず遊技盤８、ガラス扉６等を含む前枠５を外枠２から取り外し、その外枠２を遊技島の受け枠５２の上枠部５３と下枠部５４との間に嵌め込んだ後、図９に示すように、上横枠材３３を上枠部５３に、下横枠材３４を下枠部５４に夫々釘５５，５６により固定する。
【００３６】
このとき上横枠材３３は木材製であるため受け枠５２の上枠部５３に対して任意の箇所で釘５５により容易に固定することができる。また下横枠材３４は合成樹脂製であるにも拘わらず、その凹部４５内に左右の縦枠材３２に跨がって釘打ち部材４４が設けられているので、この釘打ち部材４４に釘５６を打ち込むことにより、下横枠材３４を受け枠５２の下枠部５４に対して容易に固定することができる。即ち、下横枠材３４には釘挿通孔４９付きの固定壁４８を有する凹部４５が左右の縦枠材３２に跨がって設けられており、その凹部４５内に釘打ち部材４４が嵌め込まれているので、釘挿通孔４９に対応する位置で釘打ち部材４４に釘を打ち込むことにより、釘打ち部材４４を介して下横枠材３４を受け枠５２の下枠部５４に固定することができる。
【００３７】
特に釘打ち部材４４に釘を打ち込んで下横枠材３４を受け枠５２の下枠部５４に固定する場合、下横枠材３４の全長分の固定壁４８を受け枠５２の下枠部５４側に押さえ付けるため、取り付け孔内に釘打ち部材４４を嵌め込んで固定する従来のものに比較して構造的にも簡単であり、下横枠材３４を容易且つ確実に受け枠５２の下枠部５４に固定することができる。このため遊技盤８側の重量が嵩むような場合でも、設置後の外枠２の姿勢が安定し、遊技盤８の取り付け姿勢の狂い等を防止できる。
【００３８】
また下横枠材３４の左右方向の全長に跨がって設けられた凹部４５内に釘打ち部材４４を嵌め込み、この釘打ち部材４４を下連結金具５８を介して縦枠材３２、下横枠材３４にネジにより固定しているので、釘打ち部材４４により下横枠材３４を補強することができる。また左右の縦枠材３２の下端部間に、釘打ち部材４４により補強された下横枠材３４があり、これに各縦枠材３２が連結されているため、外枠２全体の下部側の剛性を向上させることができる。従って、外枠２を受け枠５２に固定した場合の姿勢が安定するのは勿論のこと、外枠２の剛性の向上によって、パチンコ機の物流段階での取り扱いも容易になる利点がある。
【００３９】
更に側面取り付け部４２の下側に凹部４５が左右方向に貫通状にあり、この下側の凹部４５に釘打ち部材４４を貫通状に設けることにより、下横枠材３４の左右両端部側の縦枠材３２との連結強度も向上する利点がある。なお、側面取り付け部４２を上下方向のネジ等により釘打ち部材４４に固定して、側面取り付け部４２を釘打ち部材４４に固定するようにしてもよい。
【００４０】
図１０及び図１１は本発明の第２の実施形態を例示する。この実施形態では、下横枠材３４の下本体部４１は、前壁部４３ｃと、この前壁部４３ｃの上下方向の外側及び内側の両端から後方に延びる一対の固定壁４８ａ，４８ｂとを備え、その固定壁４８ａ，４８ｂ間に、後側に開口する凹部４５が形成され、その凹部４５に釘打ち部材４４が挿入されている。
【００４１】
固定壁４８ａ，４８ｂには釘挿通孔４９ａ，４９ｂが設けられている。この実施形態では、釘５８の打ち込み側となる内側の固定壁４８ｂの釘挿通孔４９ｂの大きさを釘挿通孔４９ａよりも大きくしている。なお、釘挿通孔４９ａ，４９ｂは略同じ大きさでもよいし、大小逆の大きさでもよい。また釘挿通孔４９ｂを小さくして、図１１に二点鎖線で示すように内側の固定壁４８ｂと釘５６の頭部５６ａとの間に、固定壁４８ｂに当接する薄板状の当て板５６ｂを介在してもよい。他の構成は第１の実施形態と同様である。
【００４２】
このように下横枠材３４に凹部４５を形成するに際しては、外側及び内側の両側に配置された固定壁４８ａ，４８ｂ間に、後側が開口する凹部４５を設けて、その凹部４５に後側から釘打ち部材４４を挿入するようにしてもよい。この場合には、釘打ち部材４４の上下両側に固定壁４８ａ，４８ｂがあるため、下横枠材３４自体の強度が更に向上する。
【００４３】
図１２及び図１３は本発明の第３の実施形態を例示する。この実施形態では、下横枠材３４の前端に前横枠材３５が一体に形成され、その前横枠材３５を化粧カバー３６で前側から覆うようになっている。他の構成は第１の実施形態と同様である。このように前横枠材３５を下横枠材３４と一体に設けてもよい。  
【００４４】
図１４〜図１７は本発明の第４の実施形態を例示する。この実施形態では、下横枠材３４の左右両端に板状の側面取り付け部４２が設けられ、凹部４５の両端は側面取り付け部４２により閉塞されている。側面取り付け部４２には前面取り付け部４３の前側、後段部４７側等に複数個の取り付けボス６２が設けられ、その各取り付けボス６２に下連結金具５８の側板部５９から挿通されたネジ６１が螺合されている。
【００４５】
凹部４５内には左右の側面取り付け部４２間に木材製の釘打ち部材４４が嵌め込まれている。釘打ち部材４４の両端面は下連結金具５８の側板部５９から縦枠材３２、側面取り付け部４２に挿通されたネジ６３により締結されて、側面取り付け部４２を介して縦枠材３２に連結されている。また釘打ち部材４４の両端部には、下連結金具５８の下板部６０側から固定壁４８に挿通されたネジ６７により、固定壁４８を介して下連結金具５８の下板部６０に固定されている。
【００４６】
釘打ち部材４４の両端側の上面には、ヒンジ４のヒンジ板３８ａを下側から受ける木材製、その他の取り付け台７３が接着等により固定されている。なお、ヒンジ板３８ａはネジ等により取り付け台７３に固定してもよい。ヒンジ板３８ａの取り付け片３８ｅはネジ７４により縦枠材３２、下連結金具５８に固定されている。取り付け台７３と下連結金具５８の側板部５９は、側板部５９から側面取り付け部４２、縦枠材３２に挿通されたネジ７５により締結されている。下横枠材３４の下面取り付け部６５、下連結金具５８の下板部６０、その他の構成は第１の実施形態と同様である。
【００４７】
このように下横枠材３４の左右両端に側面取り付け部４２を設け、この側面取り付け部４２間の凹部４５に釘打ち部材４４を嵌め込んで、その側面取り付け部４２を介して釘打ち部材４４を各縦枠材３２に固定してもよい。この場合にも、凹部４５内の釘打ち部材４４により、第１の実施形態と同様に下横枠材３４等を補強することができる。また左右の側面取り付け部４２間に凹部４５を設けることにより、凹部４５の上側が開口するので、その開口側から釘打ち部材４４を凹部４５へと嵌め込むことができる。
【００４８】
図１８は本発明の第５の実施形態を例示する。この実施形態の上横枠材３３は合成樹脂製（又は金属製）であって、上下方向の外側である上側に固定壁４８を有し且つ下側に開口する凹部４５が設けられ、その凹部４５内に木材製の釘打ち部材４４が嵌め込まれている。固定壁４８には釘挿通孔４９が設けられている。その他の構成は第１の実施形態の下横枠材３４の場合と略同様である。
【００４９】
このように上横枠材３３が合成樹脂製の場合にも、その上横枠材３３に釘挿通孔４９、固定壁４８を有する凹部４５を設け、この凹部４５内に釘打ち部材４４を配置することより、その釘打ち部材４４に釘を打ち付けることによって、上横枠材３３を受け枠５２の上枠部５３に固定することができる。
【００５０】
図１７は本発明の第６の実施形態を例示する。この実施形態では、釘打ち部材４４の釘打ち箇所を示す表示７６が下横枠材３４の上面等の適当箇所に設けられており、その表示７６に対応して凹部４５内の固定壁４８に釘挿通孔４９が形成されている。釘挿通孔４９は前後方向の長孔状に構成されている。他の構成は各実施形態と同様である。
【００５１】
このように下横枠材３４（又は上横枠材３３）に釘打ち箇所を示す表示７６を設けることにより、釘打ち部材４４に対して釘５６を打ち込むときの位置が略一定するため、各釘挿通孔４９を前後方向の長孔にする等、その開口面積を小さくすることが可能であり、固定壁４８の強度を増大させることができる。なお、釘打ち箇所の表示７６は、釘打ち部材４４自体に設けてもよい。
【００５２】
以上、本発明の各実施形態について詳述したが、本発明はこの各実施形態に限定されるものではなく、本発明の趣旨を逸脱しない範囲で種々の変更が可能である。例えば、釘打ち部材４４は板状の木材が適当であるが、剛性を有する合成樹脂材により構成する場合には、その合成樹脂製の釘打ち部材４４の釘打ち箇所に予め釘孔を設けておき、その釘孔に沿って釘打ち部材４４に釘を打ち込むようにしてもよい。
【００５３】
また第１〜第４の実施形態は外枠２の下横枠材３４について、第５の実施形態は外枠２の上横枠材３３について夫々例示している。これらの各実施形態からも判るように、上横枠材３３、下横枠材３４の何れか一方が合成樹脂製又は金属製の場合でもよいし、またその両方が合成樹脂製又は金属製の場合でもよい。上横枠材３３、下横枠材３４が金属製の場合、実施形態に例示するように押し出し型材を利用してもよいし、板金材を折り曲げ加工、プレス加工したものでもよい。縦枠材３２は木材製でもよいし、金属製でもよい。
【００５４】
固定壁４８，４８ａ，４８ｂは上下方向の外側のみでもよいし、上下方向の外側及び内側の両側に設けてもよい。従って、上下方向の外側及び内側の内、少なくとも外側に固定壁４８，４８ａがあればよい。また上下方向の外側及び内側の両側に固定壁４８ａ，４８ｂを設ける場合、その両固定壁４８ａ，４８ｂ間の凹部４５は前後方向の後側又は前側の何れか一方に開口すればよい。
【００５５】
また実施形態ではパチンコ機について例示しているが、パチンコ機等の弾球遊技機は勿論のこと、その他のスロットマシン等の各種の遊技機にも採用可能であることは云うまでもない。
【符号の説明】
【００５６】
２  外枠
３２  縦枠材
３３  上横枠材
３４  下横枠材
４４  釘打ち部材
４５  凹部
４８  固定壁
４９  釘挿通孔
５２  受け枠
６５  釘
【図１】
0005356470.tif 000002
【図２】
0005356470.tif 000003
【図３】
0005356470.tif 000004
【図４】
0005356470.tif 000005
【図５】
0005356470.tif 000006
【図６】
0005356470.tif 000007
【図７】
0005356470.tif 000008
【図８】
0005356470.tif 000009
【図９】
0005356470.tif 000010
【図１０】
0005356470.tif 000011
【図１１】
0005356470.tif 000012
【図１２】
0005356470.tif 000013
【図１３】
0005356470.tif 000014
【図１４】
0005356470.tif 000015
【図１５】
0005356470.tif 000016
【図１６】
0005356470.tif 000017
【図１７】
0005356470.tif 000018
【図１８】
0005356470.tif 000019
【図１９】
0005356470.tif 000020